(57)【特許請求の範囲】
【請求項１】
柔軟材の孔を塞ぐ化粧プラグの取付け構造であって、前記化粧プラグは、前記柔軟材の孔内に挿入される脚部と、前記柔軟材の孔を塞ぐ頭部とを有しており、前記孔内には前記柔軟材に連接された支持部材が配置され、
この支持部材は、前記柔軟材の孔に整合して設けられた軸受と、この軸受にブッシュを介して挿入された支軸とを有しており、
前記ブッシュに前記脚部が係合していることを特徴とする化粧プラグ取付け構造。
【請求項２】
前記脚部内周には係合爪が設けられ、前記ブッシュはフランジを有し、前記脚部を前記孔内に挿入したとき、前記脚部が前記フランジに外挿されて、前記係合爪が前記フランジに係合する請求項１記載の化粧プラグ取付け構造。
【請求項３】
前記脚部外周には環状突起が設けられ、前記ブッシュは内周に係合爪を有し、前記脚部を前記孔内に挿入したとき、前記脚部が前記ブッシュ内周に挿入されて、前記環状突起が前記係合爪に係合する請求項１記載の化粧プラグ取付け構造。
【請求項４】
前記脚部と前記ブッシュとの係合面の少なくとも一方がテーパ状をなしている請求項１〜３のいずれか１つに記載の化粧プラグ取付け構造。
【請求項５】
前記頭部は、前記脚部に対してフランジ状に形成され、前記脚部が前記ブッシュに係合したとき、前記頭部が前記柔軟材を押し付けるように、前記頭部下面と前記係合位置との距離が設定されている請求項１〜４のいずれか１つに記載の化粧プラグ取付け構造。
【発明の詳細な説明】
【０００１】
【発明の属する技術分野】
本発明は、例えば回動可能に支持されるアームレストの支軸挿通孔等を塞ぐために使用される化粧プラグ取付け構造に関する。
【０００２】
【従来の技術】
自動車等のアームレストは、背もたれ部等に連接された金属の芯材と、この芯材を覆う柔軟材とで構成されており、柔軟材は、発泡ポリウレタン等のクッション材と、その表面を覆う表被材で形成されている。
【０００３】
アームレストの芯材を背もたれ部等に支持させるために、支軸やナットを挿入するための孔を設ける場合があり、これらの孔を塞いで外観をよくするために、化粧プラグが用いられている。
【０００４】
実用新案登録第２５６５２３６号公報には、車両のドアの内側に固定されるアームレストの取付け孔を化粧プラグで塞ぐ技術が開示されている。
【０００５】
すなわち、図５に示すように、このアームレスト１０は、インサート材１１に発泡ポリウレタン等からなるクッション材１２を一体成形し、このクッション材１２の表面を表被材１３で覆って構成されている。そして、このアームレスト１０を自動車のドアの内壁１４に固定するため、アームレスト１０に取付け孔１５を形成し、ネジ１６を挿入して内壁１４に固定している。
【０００６】
更に、この取付け孔１５の外側から化粧プラグ１７を挿入し、取付け孔１５が外部から見えないようにしている。この場合、化粧プラグ１７は、フランジ状の頭部１８と、この頭部１８から円筒状をなして伸びる脚部１９とで構成されている。そして、脚部１９の外周に係合爪２０が形成されており、この係合爪２０が表被材１３の端縁に係合して抜け止めがなされるようになっている。
【０００７】
【発明が解決しようとする課題】
しかしながら、上記実用新案登録第２５６５２３６号公報に示されるような化粧プラグ取付け構造では、表被材１３が手触りのよい布等の軟らかい材質からなるときは、脚部１９の外周に突設された係合爪２０が、クッション材１２や表被材１３に摩擦的に係合するだけであり、外部から押圧力等が繰り返し作用したときに、化粧プラグ１７が取付け孔１５内でガタついて上記摩擦力が弱まり、化粧プラグ１７が抜けてしまうことがあった。
【０００８】
したがって、本発明の目的は、アームレスト等に設けられた柔軟材の孔を塞ぐための化粧プラグを該孔内に挿入したときに、しっかりと係合して抜け止めされるようにした化粧プラグ取付け構造を提供することにある。
【０００９】
【課題を解決するための手段】
上記目的を達成するため、本発明の第１は、柔軟材の孔を塞ぐ化粧プラグの取付け構造であって、前記化粧プラグは、前記柔軟材の孔内に挿入される脚部と、前記柔軟材の孔を塞ぐ頭部とを有しており、前記孔内には前記柔軟材に連接された支持部材が配置され、この支持部材は、前記柔軟材の孔に整合して設けられた軸受と、この軸受にブッシュを介して挿入された支軸とを有しており、前記ブッシュに前記脚部が係合していることを特徴とする化粧プラグ取付け構造を提供するものである。
【００１０】
上記第１の発明によれば、化粧プラグの脚部を柔軟材の孔に挿入し、この孔内に配置された支持部材のブッシュに脚部を係合させることにより、化粧プラグを容易に抜けてしまわないように、しっかりと固定することができる。
【００１２】
また、柔軟材で覆われた部材を回動可能に支持すると共に、その支軸を挿通するための孔を化粧プラグで塞いで外観を良好にでき、必要があるときには、化粧プラグを強制的に取外して支軸、ブッシュ、軸受等を補修することができ、上記ブッシュを利用したことにより、新たな部品を追加することなく化粧プラグの取付けができる。
【００１３】
本発明の第２は、前記第１の発明において、前記脚部内周には係合爪が設けられ、前記ブッシュはフランジを有し、前記脚部を前記孔内に挿入したとき、前記脚部が前記フランジに外挿されて、前記係合爪が前記フランジに係合する化粧プラグ取付け構造を提供するものである。
【００１４】
上記第２の発明によれば、化粧プラグの脚部内周に設けた係合爪を、前記ブッシュのフランジに係合させることにより、化粧プラグを容易に抜けてしまわないように、しっかりと固定することができる。
【００１５】
本発明の第３は、前記第１の発明において、前記脚部外周には環状突起が設けられ、前記ブッシュは内周に係合爪を有し、前記脚部を前記孔内に挿入したとき、前記脚部が前記ブッシュ内周に挿入されて、前記環状突起が前記係合爪に係合する化粧プラグ取付け構造を提供するものである。
【００１６】
上記第３の発明によれば、化粧プラグの脚部外周に設けた環状突起を、前記ブッシュの内周に設けた係合爪に係合させることにより、化粧プラグを容易に抜けてしまわないように、しっかりと固定することができる。
【００１７】
本発明の第４は、前記第１〜３の発明のいずれかにおいて、前記脚部と前記ブッシュとの係合面の少なくとも一方がテーパ状をなしている化粧プラグ取付け構造を提供するものである。
【００１８】
上記第４の発明によれば、前記脚部と前記ブッシュとが係合したとき、前記脚部と前記ブッシュとに多少の寸法バラツキがあっても、テーパ面のいずれかの箇所で密接し、軸方向だけでなく、径方向にもガタ付きなく係合するので、化粧プラグがガタ付きなくしっかりと固定される。
【００１９】
本発明の第５は、前記第１〜４の発明のいずれかにおいて、前記頭部は、前記脚部に対してフランジ状に形成され、前記脚部が前記ブッシュに係合したとき、前記頭部が前記柔軟材を押し付けるように、前記頭部下面と前記係合位置との距離が設定されている化粧プラグ取付け構造を提供するものである。
【００２０】
上記第５の発明によれば、化粧プラグの頭部が柔軟材を押し付けた状態で装着されるので、個々の部品の寸法誤差等があっても上記押し付け量によって調整されて化粧プラグの頭部が突出することがなく外観が良好になると共に、柔軟材の弾性力によって脚部とブッシュの係合面が常に圧接された状態となるため、化粧プラグのガタ付きが防止される。
【００２１】
【発明の実施の形態】
図１〜４には、本発明による化粧プラグの取付け構造をアームレストの支軸連結部に適用した一実施形態が示されている。図１は同アームレストの支軸連結部の分解斜視図、図２は同アームレストの支軸連結部の化粧プラグを挿入する前の状態を示す断面図、図３は同アームレストの支軸連結部の化粧プラグを挿入した状態を示す断面図、図４は化粧プラグの係合爪とブッシュのフランジとの係合状態を示す部分拡大断面図である。
【００２２】
図１〜３において、２１は、座席の背もたれ部等に固定される金属ブラケットであり、その中心には支軸２２が垂設され、この支軸２２に対して両側に対向する位置には一対の回動案内軸２３、２３が垂設されている。
【００２３】
アームレスト３０は、金属の芯材（フレーム）３１と、この芯材３１を包み込むように一体成形された発泡ポリウレタン等からなるクッション材３２と、クッション材３２の外周を被覆する布等からなる表被材３３とで構成されている。このアームレスト３０の一端に、上記ブラケット２１の支軸２２等を挿入するための孔３４が形成されている。また、芯材３１には、上記孔３４の中心に位置する円筒状の軸受３５が挿通固定されている。
【００２４】
軸受３５の、前記支軸２２が挿入される側の端部内周には、合成樹脂製のブッシュ３６が介装されるようになっている。ブッシュ３６は、軸方向に沿った分離部３７を有し、径方向に縮径可能となっている。ブッシュ３６は、弾性的に縮径されて軸受３５の上記端部内周に挿入され、このブッシュ３６の内周に上記支軸２２が挿入されるようになっている。
【００２５】
更に、芯材３１には、上記ブラケット２１の回動案内軸２３，２３が挿入される円弧状の回動案内溝３８、３８が形成されている。回動案内軸２３、２３を回動案内溝３８，３８に挿入することにより、アームレスト３０の回動角を所定範囲に規制すると共に、水平方向、垂直方向等に回動した状態で支持することが可能とされている。
【００２６】
支軸２２は、軸受３５を貫通して、軸受３５の上記と反対側の端部から突出する。この軸受３５の反対側の端部内周には、上記と同様な合成樹脂製のブッシュ４０が介装されるようになっている。このブッシュ４０は、軸方向に沿った分離部４１を有し、上記ブッシュ３６と同様に径方向に縮径可能となっている。また、ブッシュ４０の外側の端部には、フランジ４２が形成されている。このフランジ４２は、図４に示すように、ブッシュ４０の円筒状部分から少し拡径した小径部４２ａと、この小径部４２ａから更に拡径した大径部４２ｂとを有し、小径部４２ａから大径部４２ｂに至る部分に次第に拡径するテーパ状部分４２ｃが形成されている。
【００２７】
ブッシュ４０は、上記フランジ４２と反対側の端部から軸受３５の端部内周に挿入され、このブッシュ４０内を通って支軸２２の先端部が挿出される。支軸２２の先端部には、雄ネジ２２ａが形成されており、この雄ネジ２２ａに、平板ワッシャ４５及びスプリングワッシャ４６を介して、ナット４７が螺着されるようになっている。
【００２８】
アームレスト３０の上記孔３４の外側に位置する開口部を塞ぐため、化粧プラグ５０が設けられている。化粧プラグ５０は、孔３４の開口部を覆うように塞ぐ頭部５１と、この頭部５１の内側面から円筒状に突出した脚部５２とを有している。脚部５２は、孔３４の内周に密接する外径を有し、頭部５１は、脚部５２に対してフランジ状に延出されて、孔３４よりも大きな外径を有している。円筒状の脚部５２の周壁の対向する二箇所には、軸方向に伸びるスリット５３，５３が形成され、このスリット５３，５３の頭部５１から離れた端部に係合爪５４，５４が内周側に突出して形成されている。
【００２９】
図４に示すように、係合爪５４は、テーパ部５４ａと、平坦部５４ｂとを有し、テーパ部５４ａは、化粧プラグ５０を挿入するときにブッシュ４０のフランジ４２に当たって内側にたわみやすくする作用をなし、平坦部５４ｂは、上記テーパ部５４ａとの境界部に角部５４ｃを形成して、フランジ４２に係合しやすくする作用をなす。また、前記スリット５３は、係合爪５４が半径方向にたわみやすくして、係合爪５４がフランジ４２を乗り越えるのを助ける。
【００３０】
次に、この化粧プラグ取付け構造の作用について説明する。
まず、ブラケット２１を図示しない座席の背もたれ部等にボルト等で固定する。一方、アームレスト３０の軸受３５の一方の端部内周にブッシュ３６を挿入しておき、ブラケット２１から突出する支軸２２を上記ブッシュ３６を通して軸受３５に挿入する。このとき同時に、ブラケット２１から突出する一対の回動案内軸２３，２３を芯材３１の回動案内溝３８，３８に挿入する。
【００３１】
支軸２２の先端が軸受３５の他端から突出するので、その先端部外周にブッシュ４０を装着し、ブッシュ４０のフランジ４２と反対側の筒部を、支軸２２と軸受３５との隙間に挿入する。そして、ブッシュ４０のフランジ４２から突出する支軸２２の雄ネジ２２ａに、平板ワッシャ４５及びスプリングワッシャ４６を介して、ナット４７を螺着し、アームレスト３０を支軸２２に回動可能に固定する。この状態が図２に示されており、アームレスト３０の外側には、孔３４が開口して、ナット４７、ブッシュ４０等が露出した状態にある。
【００３２】
次に化粧プラグ５０の脚部５２を孔３４に挿入すると、脚部５２は支軸２２、ブッシュ４０、ナット４７等の外側に被さるように挿入される。そして、脚部５２の係合爪５４のテーパ部５４ａが、ブッシュ４０のフランジ４２に突き当たり、係合爪５４が外径側にたわんでフランジ４２を乗り越える。その結果、係合爪５４の角部５４ｃがフランジ４２のテーパ状部４２ｃに係合し、化粧プラグ５０が抜け止めされて、孔３４内に固定される。
【００３３】
このとき、図３に示すように、化粧プラグ５０の頭部５１の下面と、係合爪５４及びフランジ４２との係合位置との距離Ａは、頭部５１の下面でクッション材３２及び表被材３３を押付けるように設定されている。この結果、係合爪５４とフランジ４２とが常に押圧されて、軸方向におけるガタ付きが防止される。また、それぞれの部品の寸法精度のばらつきにより、上記Ａの距離が多少変動しても、クッション材３２及び表被材３３の弾性によってそれを吸収し、頭部５１が表被材３３から浮き上がらないようにすることができる。
【００３４】
また、図４に示すように、係合爪５４の角部５４ｃは、フランジ４２のテーパー状部４２ｃに圧接されて係合するので、対向する位置に形成された一対の係合爪５４、５４の間隔が寸法誤差等によって変動しても、テーパ状部４２ｃのどこかで当接するので、半径方向においてもガタ付きなく固定される。
【００３５】
このように、化粧プラグ５０を、クッション材３２及び表被材３３で構成された柔軟部材の孔３４に挿入して外観を良好にすると共に、係合爪５４とフランジ４２との係合によって抜け止めさせて、化粧プラグ５０をしっかりと固定することができる。また、支軸２２、軸受３５、ブッシュ３６，４０、ナット４７等に不具合が生じて修理の必要があったときには、化粧プラグ５０を強制的に引張ることにより取外すことができ、メンテナンスも容易となる。
【００３６】
なお、合成樹脂からなるブッシュ３６及びブッシュ４０は、金属からなる支軸２２と軸受３５とが直接接触することを防止し、金属どうしの回動に伴う異音等が発生することを防止すると共に、回動を滑らかにする作用をもたらす。そして、一方のブッシュ４０にフランジ４２を形成し、化粧プラグ５０に係合爪５４を設けるという比較的簡単な手段によって、かつ、部品点数を増やすことなく、化粧プラグを上記のようにしっかりと固定することができる。
【００３７】
また、上記実施形態では、係合爪５４が円筒状の脚部５２の周壁の対向する二箇所に形成されているが、係合爪５４を脚部５２の周壁の３箇所以上に、軸中心から放射状に均等な角度で形成してもよく、それによって化粧プラグ５０の取付けの安定性がよくなり、外れ防止効果が高められる。
【００３８】
図６〜９には、本発明による化粧プラグの取付け構造をアームレストの支軸連結部に適用した他の実施形態が示されている。図６は同アームレストの支軸連結部の分解斜視図、図７は図６のＡ−Ａ矢示線に沿った化粧プラグの断面図、図８は図６のＢ−Ｂ矢示線に沿ったブッシュの断面図、図９は化粧プラグをブッシュに係合させた状態を示す断面図である。なお、前記実施形態と実質的に同一部分には同符合を付してその説明を省略することにする。
【００３９】
この実施形態では、軸受３５の支軸２２が挿出される側の端部内周に、図１〜４の実施形態とは異なる形状のブッシュ６０が配置されている。すなわち、このブッシュ６０は、軸受３５と支軸２２との間に挿入される円筒部６１と、この円筒部６１の一端からフランジ状に広がり、更に拡径された円筒部をなす拡径円筒部６２とを有している。拡径円筒部６２の対向する一対の箇所には、スリット６３が形成され、このスリット６３内の軸方向の一端から舌片状に伸びて、その先端に内側に突出する突起を有する係合爪６４が形成されている。
【００４０】
また、化粧プラグ７０は、孔３４の開口部を覆うように塞ぐ頭部７１と、この頭部７１の内側面から円筒状に突出した脚部７２とを有している。脚部７２は、孔３４の内周に密接する外径を有し、頭部７１は、脚部７２に対してフランジ状に延出されて、孔３４よりも大きな外径を有している。そして、この実施形態では、円筒状の脚部７２の先端部周壁に環状突起７３が形成されている。環状突起７３の頭部７１方向の面は、上記係合爪６４と係合する係合面７３ａをなすが、この係合面７３ａがテーパ状をなしている。
【００４１】
この実施形態では、化粧プラグ７０の脚部７２をアームレスト３０の孔３４に挿入すると、脚部７２がブッシュ６０の拡径円筒部６２内に挿入され、脚部７２の環状突起７３が、ブッシュ６０の係合爪６４を外側に押し広げながら押し込まれて、図９に示すように、環状突起７３の係合面７３ａが係合爪６４に係合し、化粧プラグ７０が抜け止めされて固定される。
【００４２】
このとき、化粧プラグ７０の頭部７１は、クッション材３２を押し付けた状態で取付けられるので、化粧プラグ７０を常時外側に押す力が作用し、ブッシュ６０の係合爪６４が、脚部７２の環状突起７３の係合面７３ａに常時圧接される。また、環状突起７３の係合面７３ａがテーパ状をなすので、脚部７２とブッシュ６０とに多少の寸法バラツキがあっても、テーパ面のいずれかの箇所で密接し、軸方向だけでなく、径方向にもガタ付きなく係合するので、化粧プラグ７０がガタ付きなくしっかりと固定される。
【００４３】
なお、上記実施形態において、係合爪６４は、ブッシュ６０の拡径円筒部６２の周壁の対向する一対の箇所に形成されているが、拡径円筒部６２の周壁の３箇所以上に、軸中心から放射状に均等な角度で形成してもよく、それによって化粧プラグ７０の取付けの安定性がよくなり、外れ防止効果が高められる。
【００４４】
【発明の効果】
以上説明したように、本発明によれば、化粧プラグの脚部を柔軟材の孔に挿入し、この孔内に配置された支持部材のブッシュに上記脚部を係合させるようにしたので、柔軟材の孔を塞ぐ化粧プラグを容易に抜けてしまわないように、しっかりと固定することができる。
【図面の簡単な説明】
【図１】本発明による化粧プラグの取付け構造をアームレストの支軸連結部に適用した一実施形態を示す分解斜視図である。
【図２】同実施形態におけるアームレストの支軸連結部の化粧プラグを挿入する前の状態を示す断面図である。
【図３】同実施形態におけるアームレストの支軸連結部の化粧プラグを挿入した状態を示す断面図である。
【図４】同実施形態における化粧プラグの係合爪とブッシュのフランジとの係合状態を示す部分拡大断面図である。
【図５】従来の化粧プラグ取付け構造の一例を示す断面図である。
【図６】本発明による化粧プラグの取付け構造をアームレストの支軸連結部に適用した他の実施形態を示す分解斜視図である。
【図７】図６のＡ−Ａ矢示線に沿った化粧プラグの断面図である。
【図８】図６のＢ−Ｂ矢示線に沿ったブッシュの断面図である。
【図９】図９は化粧プラグをブッシュに係合させた状態を示す断面図である。
【符号の説明】
２１  ブラケット
２２  支軸
３０  アームレスト
３１  芯材
３２  クッション材
３３  表被材
３４  孔
３５  軸受
３６，４０  ブッシュ
４２  フランジ
４２ｃ  テーパ状部
４７  ナット
５０  化粧プラグ
５１  頭部
５２  脚部
５３  スリット
５４  爪部
６０  ブッシュ
６１  円筒部
６２  拡径円筒部
６４  係合爪
７０  化粧プラグ
７１  頭部
７２  脚部
７３  環状突起
７３ａ  係合面
【図１】
0003719903.tif 000002
【図２】
0003719903.tif 000003
【図３】
0003719903.tif 000004
【図４】
0003719903.tif 000005
【図５】
0003719903.tif 000006
【図６】
0003719903.tif 000007
【図７】
0003719903.tif 000008
【図８】
0003719903.tif 000009
【図９】
0003719903.tif 000010